【手続補正書】
【提出日】平成29年1月6日(2017.1.6)
【手続補正１】
【補正対象書類名】特許請求の範囲
【補正対象項目名】全文
【補正方法】変更
【補正の内容】
【特許請求の範囲】
【請求項１】
モバイルデバイスによって、前記モバイルデバイスとネットワークドメインノードの間の第１の経路を介した第１の通信を開始すること；
前記モバイルデバイスによって、前記第１の経路に関連付けられた第１のシーケンス情報を生成すること；
前記モバイルデバイスによって、前記モバイルデバイスと前記ネットワークドメインノードの間の第２の経路を介した第２の通信を開始すること；
前記モバイルデバイスによって、前記第２の経路に関連付けられた第２のシーケンス情報を生成すること、前記第２のシーケンス情報は、前記第１のシーケンス情報とは異なる：および
前記モバイルデバイスによって、前記第１の経路および前記第２の経路上で送信されたメッセージを順序付けするために、前記第１の経路および前記第２の経路を通じた前記ネットワークドメインノードとの前記モバイルデバイスのさらなる通信のための前記第１のシーケンス情報および前記第２のシーケンス情報をそれぞれ用いること、を含む通信方法。
【請求項２】
前記第１のシーケンス情報を変更することに基づいて、前記第２のシーケンス情報を生成することを含む請求項１の方法。
【請求項３】
前記第１のシーケンス情報を変更することは、値をインクリメントすること、値をディクリメントすること、またはタイムスタンプ値を更新することを含む請求項２の方法。
【請求項４】
前記第１のシーケンス情報を変更することは、前記モバイル端末またはプロキシノードによって実行される請求項３の方法。
【請求項５】
検出されたネットワークパフォーマンスパラメータに基づいて前記第１のシーケンス情報を変更することをさらに含む請求項４の方法。
【請求項６】
前記ネットワークパフォーマンスパラメータは、信号対雑音比（ＳＮＲ）、信号電力測定、信号電圧測定または信号電流測定を含む請求項５の方法。
【請求項７】
前記第１のシーケンス情報を変更することは、プロキシモバイルインターネットプロトコル（ＰＭＩＰ）に基づく請求項２の方法。
【請求項８】
前記第１のシーケンス情報を変更することは、ネットワークベース局所モビリティ管理（ＮＥＴＬＭＭ）プロトコルに基づく請求項２の方法。
【請求項９】
前記ネットワークドメインノードはローカルモビリティアンカーである請求項１の方法。
【請求項１０】
前記第１の経路または前記第２の経路のうちの少なくとも１つは、少なくとも１つのアクセスポイント、アクセスノードまたはアクセスルータを含む請求項１の方法。
【請求項１１】
前記モバイルデバイスからの少なくとも１つのリンク生成メッセージを生成することをさらに含み、前記リンク生成メッセージはシーケンス番号に関連付けられる請求項１の方法。
【請求項１２】
前記リンク生成メッセージの後にトンネルを形成することをさらに含む請求項１１の方法。
【請求項１３】
前記モバイルデバイスからの少なくとも１つの他のリンク生成メッセージを生成することをさらに含む請求項１１の方法。
【請求項１４】
前記他のリンク生成メッセージに従って少なくとも１つの第２のトンネルを形成することをさらに含む請求項１３の方法。
【請求項１５】
モバイルデバイスによって、通信装置とネットワークドメインノードの間の第１の経路を介した第１の通信を開始するための手段；
前記モバイルデバイスによって、前記第１の経路に関連付けられた第１のシーケンス情報を生成するための手段；
前記モバイルデバイスによって、前記通信装置と前記ネットワークドメインノードの間の第２の経路を介した第２の通信を開始するための手段；
前記モバイルデバイスによって、前記第２の経路に関連付けられた第２のシーケンス情報を生成するための手段、前記第２のシーケンス情報は、前記第１のシーケンス情報とは異なる：および
前記モバイルデバイスによって、前記第１の経路および前記第２の経路上で送信されたメッセージを順序付けするために、前記第１の経路および前記第２の経路を通じた前記ネットワークドメインノードとの前記モバイルデバイスのさらなる通信のための前記第１のシーケンス情報および前記第２のシーケンス情報をそれぞれ用いるための手段、を含む通信装置。
【請求項１６】
モバイルデバイスによって、前記モバイルデバイスとネットワークドメインノードの間の第１の経路を介した第１の通信を開始すること；
前記モバイルデバイスによって、前記第１の経路に関連付けられた第１のシーケンス情報を生成すること； 
前記モバイルデバイスによって、前記モバイルデバイスと前記ネットワークドメインノードの間の第２の経路を介した第２の通信を開始すること；
前記モバイルデバイスによって、前記第２の経路に関連付けられた第２のシーケンス情報を生成すること、前記第２のシーケンス情報は、前記第１のシーケンス情報とは異なる：および
前記モバイルデバイスによって、前記第１の経路および前記第２の経路上で送信されたメッセージを順序付けするために、前記第１の経路および前記第２の経路を通じた前記ネットワークドメインノードとの前記モバイルデバイスのさらなる通信のための前記第１のシーケンス情報および前記第２のシーケンス情報をそれぞれ用いること、のための機械実行可能な命令を格納した非一時的な機械可読媒体。
【請求項１７】
前記第１のシーケンス情報を変更することに基づいて前記第２のシーケンス情報を生成することための命令をさらに含む請求項１６の非一時的な機械可読媒体。
【請求項１８】
ネットワークノードによって、第１のアクセスポイントを介したモバイルデバイスとの登録の際に第１のシーケンスデータを受信すること、ここにおいて前記第１のシーケンスデータは、前記第１のアクセスポイントに関連付けられ、前記第１のシーケンスデータは、シーケンス番号またはタイムスタンプのうちの１つである；
前記ネットワークノードによって、第２のアクセスポイントを介した前記モバイルデバイスとの登録の際に第２のシーケンスデータを受信すること、ここにおいて前記第２のシーケンスデータは、前記第２のアクセスポイントに関連付けられ、前記第２のシーケンスデータは、シーケンス番号またはタイムスタンプのうちの１つであり、前記第２のシーケンスデータは、前記第１のシーケンスデータとは異なる；および
前記ネットワークノードによって、前記第１のアクセスポイントおよび前記第２のアクセスポイントを介して送信されたメッセージを順序付けするために、前記第１のアクセスポイントおよび前記第２のアクセスポイントを通じた前記モバイルデバイスの後の通信のための前記第１のシーケンスデータおよび前記第２のシーケンスデータをそれぞれ用いること、のための機械実行可能な命令を格納した非一時的な機械可読媒体。
【請求項１９】
前記第１のシーケンスデータを変更することに基づいて、前記第２のシーケンスデータを生成することのための命令をさらに含む請求項１８の非一時的な機械可読媒体。
【請求項２０】
モバイルデバイスによって、前記モバイルデバイスとネットワークドメインノードの間の第１の経路を介した第１の通信を開始すること；
前記モバイルデバイスによって、前記第１の経路に関連付けられた第１のシーケンス情報を生成すること； 
前記モバイルデバイスによって、前記モバイルデバイスと前記ネットワークドメインノードの間の第２の経路を介した第２の通信を開始すること；
前記モバイルデバイスによって、前記第２の経路に関連付けられた第２のシーケンス情報を生成すること、ここにおいて前記第２のシーケンス情報は、前記第１のシーケンス情報とは異なる：および
前記モバイルデバイスによって、前記第１の経路および前記第２の経路上で送信されたメッセージを順序付けるために、前記第１の経路および前記第２の経路を通じた前記ネットワークドメインノードとの前記モバイルデバイスのさらなる通信のための前記第１のシーケンス情報および前記第２のシーケンス情報をそれぞれ用いること：
のための命令を保持するメモリ、および
前記命令を実行するプロセッサ、を含む通信装置。
【請求項２１】
ネットワークノードによって、モバイルデバイスから、前記ネットワークノードへの第１の経路を介した第１の登録を受信すること；
前記ネットワークノードによって、前記モバイルデバイスから、前記第１の経路に関連付けられた第１のシーケンス情報を受信すること、ここにおいて前記第１のシーケンス情報は、シーケンス番号またはタイムスタンプのうちの１つである；
前記ネットワークノードによって、前記モバイルデバイスから、前記ネットワークノードへの第２の経路を介した第２の登録を受信すること、
前記ネットワークノードによって、前記モバイルデバイスから、前記第２の経路に関連付けられた第２のシーケンス情報を受信すること、ここにおいて前記第２のシーケンス情報は、シーケンス番号またはタイムスタンプのうちの１つであり、前記第２のシーケンス情報は、前記第１のシーケンス情報とは異なる；および
前記ネットワークノードによって、前記第１の経路および前記第２の経路を介して受信されたメッセージを順序付けるために、前記第１の経路および前記第２の経路を通じた前記ネットワークノードとの前記モバイルデバイスのさらなる通信のための前記第１のシーケンス情報および前記第２のシーケンス情報をそれぞれ用いること、を含む通信方法。
【請求項２２】
ネットワークノードによって、モバイルデバイスから、前記ネットワークノードへの第１の経路を介した第１の登録を受信するための手段；
前記ネットワークノードによって、前記モバイルデバイスから、前記第１の経路に関連付けられた第１のシーケンス情報を受信するための手段、ここにおいて前記第１のシーケンス情報は、シーケンス番号またはタイムスタンプのうちの１つである；
前記ネットワークノードによって、前記モバイルデバイスから、前記ネットワークノードへの第２の経路を介した第２の登録を受信するための手段；
前記ネットワークノードによって、前記モバイルデバイスから、前記第２の経路に関連付けられた第２のシーケンス情報を受信するための手段、ここにおいて前記第２のシーケンス情報は、シーケンス番号またはタイムスタンプのうちの１つであり、前記第２のシーケンス情報は、前記第１のシーケンス情報とは異なる；および
前記ネットワークノードによって、前記第１の経路および前記第２の経路を介して受信されたメッセージを順序付けるために、前記第１の経路および前記第２の経路を通じた前記ネットワークノードとの前記モバイルデバイスのさらなる通信のための前記第１のシーケンス情報および前記第２のシーケンス情報をそれぞれ用いるための手段を含む通信装置。
【請求項２３】
ネットワークノードによって、モバイルデバイスから第１の経路を介した第１の登録を受信し；
前記ネットワークノードによって、前記第１の経路に関連付けられた第１のシーケンス情報を受信し、ここにおいて前記第１のシーケンス情報は、シーケンス番号またはタイムスタンプのうちの１つである；
前記ネットワークノードによって、前記モバイルデバイスから第２の経路を介した第２の登録を受信すること、
前記ネットワークノードによって、前記第２の経路に関連付けられた第２のシーケンス情報を受信すること、ここにおいて前記第２のシーケンス情報は、シーケンス番号またはタイムスタンプのうちの１つであり、前記第２のシーケンス情報は、前記第１のシーケンス情報とは異なる；および
前記ネットワークノードによって、前記第１の経路および前記第２の経路を介して受信されたメッセージを順序付けるために、前記第１の経路および前記第２の経路を通じた前記ネットワークノードとの前記モバイルデバイスのさらなる通信のための前記第１のシーケンス情報および前記第２のシーケンス情報をそれぞれ用いること；
のための命令を保持するメモリ、および
前記命令を実行するプロセッサ、を含む通信装置。